(57)【要約】【課題】冷却条件が変化しても、水蒸気圧縮手段の駆動回転数および蒸発槽への冷却水流入量を制御することなく蒸発槽内の冷却水の冷却を行う冷却装置の制御方法を提供すること。【解決手段】水を冷媒として冷却対象２を冷却する冷却装置１において、水蒸気圧縮手段３２によって蒸発槽３１内の水蒸気を吸引して圧縮することにより、蒸発槽３１内の冷却水を冷却し、冷却水タンク４１を介して冷却対象２に送る。冷却条件が変化しても、これに合わせて水蒸気圧縮手段３２による冷却能力が水蒸気の特性に基づいて自動的に調節されるので、水蒸気圧縮手段３２の駆動回転数および蒸発槽３１への冷却水流入量を調節しなくても蒸発槽３１内の冷却水の冷却を適切に行うことができる。【選択図】図２
2007170698.tif 000002
【特許請求の範囲】
【請求項１】
冷却水によって冷却対象を冷却する冷却装置の制御方法であって、
前記冷却装置は、
前記冷却対象を冷却して温められた冷却水の少なくとも一部が流入される蒸発槽と、
前記蒸発槽内の水蒸気を吸引して圧縮し、当該蒸発槽内の冷却水の一部を蒸発させて蒸発潜熱によって残りの冷却水を冷却する水蒸気圧縮手段と、
前記冷却対象に冷却水を流入する冷却対象流入路と、
前記冷却対象を冷却して温められた冷却水を流出する冷却対象流出路と、
前記冷却対象流出路と連通するように接続され、前記蒸発槽に所定量の冷却水を流入する蒸発槽流入路と、
前記冷却対象流入路と連通するように接続され、前記水蒸気圧縮手段によって冷却された前記蒸発槽内の冷却水を流出する蒸発槽流出路とを備え、
冷却条件が変化しても、前記水蒸気圧縮手段の駆動回転数および前記蒸発槽への冷却水流入量を一定に保ったまま前記蒸発槽内の冷却水の冷却を行う
ことを特徴とする冷却装置の制御方法。
【請求項２】
請求項１に記載の冷却装置の制御方法において、
前記冷却装置は、
前記冷却対象流入路，前記冷却対象流出路，前記蒸発槽流入路，前記蒸発槽流出路のいずれとも連通されて冷却水を少なくとも一時的に貯蔵可能な冷却水タンクを備える
ことを特徴とする冷却装置の制御方法。
【請求項３】
請求項１に記載の冷却装置の制御方法において、
前記冷却装置は、
前記冷却対象流入路および前記蒸発槽流出路のいずれとも連通されて冷却水を少なくとも一時的に貯蔵可能な冷却水タンクと、
前記冷却対象流出路および前記蒸発槽流入路の接続部と前記冷却水タンクとの間を接続し、少なくとも前記冷却水タンクから前記接続部へ向かう方向に冷却水を流通可能な接続流路とを備える
ことを特徴とする冷却装置の制御方法。
【請求項４】
請求項１から請求項３のいずれかに記載の冷却装置の制御方法において、
前記冷却装置は、
前記冷却対象流入路および前記冷却対象流出路間に架設され、両者を接続する架設流路と、
前記架設流路の流量を制御して、当該流量の冷却水を前記冷却対象流出路から前記冷却対象流入路へ向かう方向に流す流量制御手段とを備え、
前記流量制御手段による前記架設流路の流量制御の下、前記冷却対象に流入する冷却水を所望温度に調節する
ことを特徴とする冷却装置の制御方法。
【請求項５】
請求項１から請求項４のいずれかに記載の冷却装置の制御方法において、
前記冷却装置は、
前記水蒸気圧縮手段を介して前記蒸発槽と連通され、当該蒸発槽からの水蒸気を凝縮用冷却水によって冷却して水に凝縮する凝縮槽と、
前記凝縮槽への凝縮用冷却水の流入量を制御可能な凝縮用冷却水流入量制御手段とを備え、
前記蒸発槽に流入する冷却水の温度よりも、前記凝縮槽に流入する凝縮用冷却水の温度の方が低い場合には、前記水蒸気圧縮手段の回転駆動を停止し、前記凝縮用冷却水流入量制御手段による凝縮用冷却水の流入量制御の下、互いに連通された前記蒸発槽および前記凝縮槽の圧力を調節することによって、前記蒸発槽内の冷却水の冷却を行い、
前記蒸発槽に流入する冷却水の温度よりも、前記凝縮槽に流入する凝縮用冷却水の温度の方が高い場合には、前記水蒸気圧縮手段を一定回転数で駆動して前記蒸発槽内の冷却水の冷却を行う
ことを特徴とする冷却装置の制御方法。
【発明の詳細な説明】
【技術分野】
【０００１】
本発明は、冷却装置の制御方法に関する。詳しくは、水を冷媒として冷却対象を冷却する冷却装置の制御方法に関する。
【背景技術】
【０００２】
特開２００２−３７２３９７号公報（特許文献１）に、フロンなどとは異なって環境面および安全面において問題の少ない水を冷媒として冷却対象を冷却する冷却装置が開示されている。特許文献１の冷却装置は、冷却対象（負荷）を冷却して温められた冷却水が流入する蒸発槽（第１密封容器ＥＶ）と、蒸発槽内の水蒸気を吸引して圧縮し、当該蒸発槽内の冷却水の一部を蒸発させて蒸発潜熱によって残りの冷却水を冷却する水蒸気圧縮手段（ターボ圧縮機Ｐ１）とを備えている。このような構成によれば、冷却対象を冷却して温められた冷却水が蒸発槽に流入して水蒸気圧縮手段によって冷却されるので、当該冷却水を再び冷却対象の冷却に利用することができる。なお、水蒸気圧縮手段によって圧縮された水蒸気は、水蒸気圧縮手段を介して蒸発槽と連通された凝縮槽（第２密封容器ＣＯ）内で水に凝縮する。そして、凝縮した水は、通風ルーバ，冷却ファン,散水槽などを有する冷却塔に送られて冷却された後、凝縮槽や蒸発槽に送られて再利用されるようになっている。
【０００３】
【特許文献１】特開２００２−３７２３９７号公報
【発明の開示】
【発明が解決しようとする課題】
【０００４】
ところで、特許文献１の冷却装置では、冷却対象の冷却に利用される蒸発槽内の冷却水を所望温度に調節するために、水蒸気圧縮手段（ターボ圧縮機Ｐ１）の駆動回転数制御が行われている（段落００１０参照）。
また、特許文献１には記載されていないが、蒸発槽へ流入する冷却水の量を制御することによって当該蒸発槽内の冷却水を所望温度に調節することも従来から行われている。
【０００５】
しかしながら、以上のような従来の冷却装置の制御方法では、冷却条件が変化した場合には、水蒸気圧縮手段の駆動回転数および蒸発槽への冷却水流入量の少なくともいずれかの制御が必要となり、煩雑である。また、以上のような制御方法を、冷却条件の変化頻度が高く、頻繁な制御が求められる環境で実施すると、制御に関与する水蒸気圧縮手段や蒸発槽への冷却水流入量を制御する手段（バルブなど）に大きな負担がかかってしまい、故障の発生する可能性が高くなってしまう。また、そもそも、以上のような制御方法を実施するためには、水蒸気圧縮手段の駆動回転数や、蒸発槽への冷却水流入量を制御するための手段が必要なので、冷却装置の製造コストが高くなってしまうという問題もある。
【０００６】
本発明の目的は、冷却条件が変化しても、冷媒としての水の特性を利用して、水蒸気圧縮手段の駆動回転数および蒸発槽への冷却水流入量を制御することなく蒸発槽内の冷却水の冷却を行う冷却装置の制御方法を提供することである。
【課題を解決するための手段】
【０００７】
本発明の冷却装置の制御方法は、冷却水によって冷却対象を冷却する冷却装置の制御方法であって、前記冷却装置は、前記冷却対象を冷却して温められた冷却水の少なくとも一部が流入される蒸発槽と、前記蒸発槽内の水蒸気を吸引して圧縮し、当該蒸発槽内の冷却水の一部を蒸発させて蒸発潜熱によって残りの冷却水を冷却する水蒸気圧縮手段と、前記冷却対象に冷却水を流入する冷却対象流入路と、前記冷却対象を冷却して温められた冷却水を流出する冷却対象流出路と、前記冷却対象流出路と連通するように接続され、前記蒸発槽に所定量の冷却水を流入する蒸発槽流入路と、前記冷却対象流入路と連通するように接続され、前記水蒸気圧縮手段によって冷却された前記蒸発槽内の冷却水を流出する蒸発槽流出路とを備え、冷却条件が変化しても、前記水蒸気圧縮手段の駆動回転数および前記蒸発槽への冷却水流入量を一定に保ったまま前記蒸発槽内の冷却水の冷却を行うことを特徴とする。
【０００８】
本発明では、冷却装置が、水蒸気圧縮手段の駆動回転数および蒸発槽への冷却水流入量が一定に保たれたまま運転される。そして、本発明の発明者は、水蒸気圧縮手段の駆動回転数および蒸発槽への冷却水流入量を一定に保ったとしても、蒸発槽内の冷却水の冷却を適切に行うことができることを見出した。すなわち、冷却条件が変化したとしても、水蒸気圧縮手段の駆動回転数および蒸発槽への冷却水流入量を変化させることなく、蒸発槽内の冷却水の冷却を適切に行うことができる。
【０００９】
冷却条件が変化した場合の一例として、冷却対象の負荷が上昇した場合、冷却対象流出路を通じて冷却対象から流出される冷却水の温度は、冷却条件変化前に比較して上昇する。そして、冷却対象流出路を流れる冷却水の温度が上昇するため、蒸発槽流入路を通じて蒸発槽に流入する所定量の冷却水の温度も、冷却条件変化前に比較して上昇する。したがって、蒸発槽には、冷却条件変化（冷却対象の負荷上昇）前に比べて温度の高い冷却水が流入し、蒸発槽内の温度が上昇する。
【００１０】
蒸発槽内の温度が上昇すると、蒸発槽内の水蒸気の密度が高くなる。一方、水蒸気圧縮手段が回転数一定で駆動されており、当該水蒸気圧縮手段を介して蒸発槽から排出される体積排気量（単位時間当たりに排出される水蒸気の『体積』）が一定であるので、温度上昇して密度が高くなった水蒸気の重量排気量（単位時間当たりに排出される水蒸気の『重量』）は大きくなる。ここで、水蒸気圧縮手段による冷却能力は、「冷却水の蒸発潜熱」×「水蒸気の重量排気量」、によって表されるところ、冷却水の蒸発潜熱が略一定であるとして、水蒸気の重量排気量に略比例する。したがって、水蒸気の重量排気量が大きくなれば、水蒸気圧縮手段による冷却能力が自動的に上昇する。
【００１１】
以上のように、冷却対象の負荷が上昇すると、結果的に、水蒸気圧縮手段による冷却能力が自動的に上昇するので、水蒸気圧縮手段の駆動回転数および蒸発槽への冷却水流入量を変化させなくても、温度が上昇した冷却水の冷却を蒸発槽において適切に行うことができる。
【００１２】
同様に、冷却対象の負荷が下降した場合には、水蒸気圧縮手段による冷却能力が自動的に下降するので、水蒸気圧縮手段の駆動回転数および蒸発槽への冷却水流入量を変化させなくても、温度が下降した冷却水の冷却を蒸発槽において適切に行うことができる。
【００１３】
以上のように、本発明によれば、冷却条件が変化したとしても、水蒸気圧縮手段の駆動回転数および蒸発槽への冷却水流入量を変化させることなく、水蒸気圧縮手段による冷却能力が自動的に調節されるので、蒸発槽内の冷却水の冷却を適切に行うことができる。
【００１４】
本発明の冷却装置の制御方法では、前記冷却装置は、前記冷却対象流入路，前記冷却対象流出路，前記蒸発槽流入路，前記蒸発槽流出路のいずれとも連通されて冷却水を少なくとも一時的に貯蔵可能な冷却水タンクを備えることが好ましい。
【００１５】
図１は、以上のような制御方法を実施するための冷却装置の構成を示す模式図である。
図１において、１は冷却装置，２は冷却対象，３１は蒸発槽，３２は水蒸気圧縮手段，２１は冷却対象流入路，２２は冷却対象流出路，３３は蒸発槽流入路，３４は蒸発槽流出路，４１は冷却水タンクをそれぞれ表している。
【００１６】
本発明では、以上のような構成を備える冷却装置１が、水蒸気圧縮手段３２の駆動回転数および蒸発槽３１への冷却水流入量が一定に保たれたまま運転され、前述したように、蒸発槽３１内の冷却水の冷却が適切に行われるようになっている。
【００１７】
本発明の冷却装置の制御方法では、前記冷却装置は、前記冷却対象流入路および前記蒸発槽流出路のいずれとも連通されて冷却水を少なくとも一時的に貯蔵可能な冷却水タンクと、前記冷却対象流出路および前記蒸発槽流入路の接続部と前記冷却水タンクとの間を接続し、少なくとも前記冷却水タンクから前記接続部へ向かう方向に冷却水を流通可能な接続流路とを備えることが好ましい。
【００１８】
図２は、以上のような制御方法を実施するための冷却装置の構成を示す模式図である。
図２において、１は冷却装置，２は冷却対象，３１は蒸発槽，３２は水蒸気圧縮手段，２１は冷却対象流入路，２２は冷却対象流出路，３３は蒸発槽流入路，３４は蒸発槽流出路，４１は冷却水タンク，４２は接続部，４３は接続流路をそれぞれ表している。
【００１９】
図中の矢印は、水あるいは水蒸気の流れる方向を表している。ここで、接続流路４３における冷却水の流通方向は、便宜上、冷却水タンク４１から接続部４２へ向かう方向（図２において下から上へ向かう方向）として図示されているが、冷却装置１の運転状況によっては、接続流路４３が、接続部４２から冷却水タンク４１に向かう方向に冷却水を流通させることもある。しかしながら、冷却装置１の通常運転時には、図示の通り、冷却水タンク４１から接続部４２へ向かう方向に冷却水が流通するようになっている。すなわち、冷却装置１の通常運転時には、蒸発槽流入路３３が所定量の冷却水を蒸発槽３１に流入するようになっているところ、冷却対象流出路２２からの冷却水量では当該所定量に満たない分の冷却水が冷却水タンク４１から接続流路４３を介して接続部４２へ向かう方向に自動的に流れるようになっており、当該接続部４２において前記所定量の冷却水が調製されるようになっている。なお、図２とは逆に冷却水が接続部４２から冷却水タンク４１へ向かう方向に流通する場合としては、例えば、水蒸気圧縮手段３２による蒸発槽３１での冷却水の冷却を休止するのに合わせて、蒸発槽流入路３３を介した蒸発槽３１への冷却水の流入量をゼロにした場合が挙げられる。この場合は、蒸発槽流入路３３の流量がゼロになるので、冷却対象流出路２２から流れてきた冷却水を接続部４２から冷却水タンク４１へ向かう方向に流す必要がある。
【００２０】
本発明では、以上のような構成を備える冷却装置１が、水蒸気圧縮手段３２の駆動回転数および蒸発槽３１への冷却水流入量が一定に保たれたまま運転され、前述したように、蒸発槽３１内の冷却水の冷却が適切に行われるようになっている。
【００２１】
以上、図１および図２に、本発明の制御方法を実施するための冷却装置の構成を模式的に示したが、図２の構成の冷却装置を採用するのが好ましい。
【００２２】
すなわち、図１の冷却装置１では、冷却水タンク４１に貯蔵された冷却水が、蒸発槽流入路３３を介して蒸発槽３１に流入されるようになっている。そして、冷却水タンク４１に貯蔵された冷却水は、冷却対象流入路２１を介して冷却対象２にも流入されるようになっているので、図１の冷却装置１においては、蒸発槽３１に流入される冷却水の温度は、冷却対象２に流入される冷却水の温度と等しくなっている。したがって、冷却対象２に低温の冷却水を流入させたい場合には、蒸発槽３１にも当該低温の冷却水が流入されることになる。前述したように、蒸発槽３１に流入する冷却水の温度が低いと、蒸発槽３１内の水蒸気の密度が低くなって、水蒸気圧縮手段３２による冷却能力も低くなってしまうので、図１の冷却装置１では、冷却能力が比較的低くなってしまう。
【００２３】
これに対して、図２の冷却装置１では、冷却水タンク４１に貯蔵された冷却水が直接蒸発槽３１に流入するのではなく、冷却対象２において温められた冷却水（冷却対象流出路２２からの冷却水）と混合された上で、蒸発槽３１に流入するようになっている。このため、図１の冷却装置１と比較して高い温度の冷却水を蒸発槽３１に流入することができ、蒸発槽３１内の水蒸気の密度を高くすることができるので、水蒸気圧縮手段３２による冷却能力を高くすることができる。また、図１の冷却装置１と図２の冷却装置１とで同程度の冷却能力を実現したい場合には、図２の構成を採用した方が、水蒸気圧縮手段３２を小型化することができる等の利点がある。
【００２４】
本発明の冷却装置の制御方法では、前記冷却装置は、前記冷却対象流入路および前記冷却対象流出路間に架設され、両者を接続する架設流路と、前記架設流路の流量を制御して、当該流量の冷却水を前記冷却対象流出路から前記冷却対象流入路へ向かう方向に流す流量制御手段とを備え、前記流量制御手段による前記架設流路の流量制御の下、前記冷却対象に流入する冷却水を所望温度に調節することが好ましい。
【００２５】
図３，４は、以上のような制御方法を実施するための冷却装置の構成を示す模式図である。具体的には、図３は、図１の冷却装置１に架設流路２３，流量制御手段２４を設けた図であり、図４は、図２の冷却装置１に架設流路２３，流量制御手段２４を設けた図である。
【００２６】
本発明によれば、流量制御手段による架設流路の流量制御の下、冷却対象流入路を流れる冷却水に対して混合する架設流路からの冷却水の量を調節することによって、冷却対象に流入する冷却水を所望温度に調節することができる。
【００２７】
本発明の冷却装置の制御方法では、前記冷却装置は、前記水蒸気圧縮手段を介して前記蒸発槽と連通され、当該蒸発槽からの水蒸気を凝縮用冷却水によって冷却して水に凝縮する凝縮槽と、前記凝縮槽への凝縮用冷却水の流入量を制御可能な凝縮用冷却水流入量制御手段とを備え、前記蒸発槽に流入する冷却水の温度よりも、前記凝縮槽に流入する凝縮用冷却水の温度の方が低い場合には、前記水蒸気圧縮手段の回転駆動を停止し、前記凝縮用冷却水流入量制御手段による凝縮用冷却水の流入量制御の下、互いに連通された前記蒸発槽および前記凝縮槽の圧力を調節することによって、前記蒸発槽内の冷却水の冷却を行い、前記蒸発槽に流入する冷却水の温度よりも、前記凝縮槽に流入する凝縮用冷却水の温度の方が高い場合には、前記水蒸気圧縮手段を一定回転数で駆動して前記蒸発槽内の冷却水の冷却を行うことが好ましい。
【００２８】
このような制御方法では、蒸発槽に流入する冷却水の温度と凝縮槽に流入する凝縮用冷却水の温度との大小関係に基づいて、水蒸気圧縮手段の駆動／停止を選択的に切り替えている。
【００２９】
まず、蒸発槽に流入する冷却水の温度よりも、凝縮槽に流入する凝縮用冷却水の温度の方が高い場合には、前述したように、水蒸気圧縮手段が一定回転数で駆動されて蒸発槽内の冷却水の冷却が行われる。この場合、凝縮槽への凝縮用冷却水の流入量は、水蒸気圧縮手段の圧縮比が最適な値になるように制御される。
【００３０】
一方、蒸発槽に流入する冷却水の温度よりも、凝縮槽に流入する凝縮用冷却水の温度の方が低い場合には、水蒸気圧縮手段の回転駆動が停止され、以下で述べるように、温度の低い凝縮用冷却水に基づいて、間接的に、蒸発槽内の冷却水の冷却が行われる。ここで、蒸発槽および凝縮槽は水蒸気圧縮手段を介して互いに連通されているところ、水蒸気圧縮手段の回転駆動が停止されていれば、ほとんど圧力差がない状態で両槽が連通されることとなる。本発明では、この状態において、凝縮槽への凝縮用冷却水の流入量を制御することにより、凝縮槽の圧力を調節し、間接的に、蒸発槽を所望圧力に調節することができる。そして、当該所望圧力の下で蒸発槽内の冷却水の蒸発を行わせることができるので、蒸発潜熱によって残りの冷却水を冷却することができる。
【００３１】
以上のように、蒸発槽に流入する冷却水の温度よりも、凝縮槽に流入する凝縮用冷却水の温度の方が低い場合には、温度の低い凝縮用冷却水に基づいて、蒸発槽内の冷却水の冷却を間接的に行うことができ、この間、水蒸気圧縮手段の回転駆動を停止することができるので、消費電力を節約することができる。
【００３２】
また、水蒸気圧縮手段の駆動／停止の状態に関わらず、冷却水の冷却が蒸発槽内において行われるようになっており、冷却水の冷却箇所をまとめることができるので、複雑な配管を設ける必要がなく、冷却装置の製造コストを低減することができる。
【発明を実施するための最良の形態】
【００３３】
続いて、本発明の実施形態を図面に基づいて説明する。
図５は、冷却装置１の構成を示す図である。なお、図５の一部分を模式化すると、先に説明した図２，図４になる。そこで、これらの図の間で対応する構成要素については同一の符号を付し、必要に応じて説明を省略または簡略化する。また、図２，図４の冷却装置１によって奏することができる効果は、当然ながら、図５の冷却装置１によっても奏することができる。
【００３４】
図４と同様に、冷却装置１は、冷却水によって冷却対象２を冷却する装置であって、冷却対象２を冷却して温められた冷却水の少なくとも一部が流入される蒸発槽３１と、蒸発槽３１内の水蒸気を吸引して圧縮し、蒸発槽３１内の冷却水の一部を蒸発させて蒸発潜熱によって残りの冷却水を冷却する水蒸気圧縮手段としてのターボ圧縮機３２と、冷却対象２に冷却水を流入する冷却対象流入路２１と、冷却対象２を冷却して温められた冷却水を流出する冷却対象流出路２２と、冷却対象流出路２２と連通するように接続され、蒸発槽３１に所定量の冷却水を流入する蒸発槽流入路３３と、ターボ圧縮機３２によって冷却された蒸発槽３１内の冷却水を流出する蒸発槽流出路３４と、冷却対象流入路２１および蒸発槽流出路３４のいずれとも連通されて冷却水を少なくとも一時的に貯蔵可能な冷却水タンク４１と、冷却対象流出路２２および蒸発槽流入路３３の接続部４２と冷却水タンク４１との間を接続し、少なくとも冷却水タンク４１から接続部４２へ向かう方向に冷却水を流通可能な接続流路４３と、冷却対象流入路２１および冷却対象流出路２２間に架設され、両者を接続する架設流路２３と、架設流路２３および冷却対象流入路２１の交点に設けられ、架設流路２３の流量を制御して、当該流量の冷却水を冷却対象流出路２２から冷却対象流入路２１へ向かう方向に流す流量制御手段としての三方弁２４とを備えている。
【００３５】
冷却対象流入路２１には、冷却水を冷却対象２に送るためのポンプ２１１が設けられ、蒸発槽流出路３４には、冷却水を冷却水タンク４１に送るためのポンプ３４１が設けられている。
【００３６】
蒸発槽流入路３３には、開閉バルブ３３１と、散水ノズル３３２とが設けられている。開閉バルブ３３１は、流路の開閉に用いられるものであって、蒸発槽３１内への散水量を調節するためのものではない。散水量の調節は、散水量を設定可能な手段である散水ノズル３３２によって行われるようになっている。なお、後述するように、冷却装置１の運転時には、散水ノズル３３２による設定散水量を変化させずに一定に保ち、蒸発槽３１内には、常に一定量の冷却水が散水され続けるようになっている（開閉バルブ３３１が開いている場合）。
【００３７】
ここで、架設流路２３へ分岐した分の流量を差し引いた後の冷却対象流出路２２の冷却水の流量（接続部４２に到達した冷却水の流量）が、散水ノズル３３２の設定散水量（一定）に満たない場合には、接続流路４３を介して冷却水タンク４１から不足分が供給され、当該設定散水量の冷却水が蒸発槽３１内に散水されるようになっている。逆に、架設流路２３へ分岐した分の流量を差し引いた後の冷却対象流出路２２の冷却水の流量が、散水ノズル３３２の設定散水量を超えている場合は、接続流路４３を介して冷却水タンク４１へ超過分が供給され、残りの冷却水（設定散水量）が蒸発槽３１内に散水されるようになっている。
【００３８】
冷却対象流入路２１には、冷却対象２に流入する冷却水の温度を測定する温度センサ２１２が設けられている。この温度センサ２１２で測定される温度に基づいて、冷却水タンク４１からの冷却水と、架設流路２３からの冷却水との混合比を三方弁２４によって調節すれば、所望温度の冷却水を調製することができ、冷却対象２に送ることができる。すなわち、冷却水タンク４１からの冷却水は、蒸発槽３１において冷却された後のものなので温度が低く、架設流路２３からの冷却水は、冷却対象２において温められた後のものなので温度が高くなっているところ、両者の混合比を三方弁２４によって調節すれば、所望温度（但し、冷却水タンク４１からの冷却水温度（低）と、架設流路２３からの冷却水温度（高）との間の温度に限る）の冷却水を調製することができる。
【００３９】
蒸発槽３１およびターボ圧縮機３２は、いわゆる縦型として構成されている。すなわち、蒸発槽３１は、鉛直方向に沿って長尺の槽として構成され、ターボ圧縮機３２は、蒸発槽３１の上部に設けられている。さらに、蒸発槽３１内に冷却水の散水を行う散水ノズル３３２は、蒸発槽３１の下部（底部）から上部に向かって散水を行うように配置されている。このような構成によれば、蒸発槽３１の下部から上部に向かって散水ノズル３３２から散水された冷却水を、蒸発槽３１の上部に配置されているターボ圧縮機３２によって効率的に蒸発させることができるともに、蒸発されて上方に向かう水蒸気成分と、蒸発されずに下方に向かう水成分とを容易に分離することができる。
【００４０】
ターボ圧縮機３２によって吸引されて圧縮された水蒸気は、当該ターボ圧縮機３２を介して蒸発槽３１と連通されている凝縮槽５に送られ、冷却塔６から送られてくる凝縮用冷却水によって冷却されて水に凝縮される。
【００４１】
凝縮槽５は、ターボ圧縮機３２から送られてくる水蒸気の入口である水蒸気入口５１と、水蒸気が凝縮された水の出口である凝縮水出口５２と、冷却塔６からの凝縮用冷却水の入口である凝縮用冷却水入口５３と、凝縮用冷却水の出口である凝縮用冷却水出口５４とを備えている。凝縮槽５は、いわゆる密閉型の凝縮槽であって、水蒸気入口５１から凝縮水出口５２に至る水蒸気／凝縮水流路と、凝縮用冷却水入口５３から凝縮用冷却水出口５４に至る凝縮用冷却水流路とが別々の流路として構成されているので、水蒸気／凝縮水流路を流れる水蒸気／凝縮水と、凝縮用冷却水流路を流れる凝縮用冷却水とは凝縮槽５内で互いに混ざることはない。ここで、水蒸気／凝縮水流路および凝縮用冷却水流路は、それぞれ、多数の細い小流路に分割されており、水蒸気／凝縮水が流れる各小流路と凝縮用冷却水が流れる各小流路とが互いに隣接するように凝縮槽５内において断面ハニカム状に配置されている。このため、水蒸気入口５１から凝縮槽５内に入って各小流路を流れる水蒸気は、隣接する小流路を流れる凝縮用冷却水によって冷却されて、水に凝縮されるようになっている。そして、凝縮した水は、凝縮水出口５２から凝縮槽５を出て、流路５５を介して蒸発槽３１へ送られて再利用されるようになっている。
【００４２】
凝縮槽５において水蒸気の凝縮に利用される凝縮用冷却水は、ポンプ６１によって冷却塔６から凝縮用冷却水流入路５６を通じて凝縮槽５に送られ、凝縮に利用されて温められた後は制御弁６２を介して凝縮用冷却水流出路５７を通じて再び冷却塔６に戻される。ここで、制御弁６２は、凝縮用冷却水流入路５６を介した凝縮槽５への凝縮用冷却水の流入量を制御可能な凝縮用冷却水流入量制御手段として機能している。
【００４３】
冷却塔６は、凝縮槽５において水蒸気の凝縮に利用されて温められた凝縮用冷却水を冷却するために、散水槽６３，冷却ファン６４，通風ルーバ６５を備えている。すなわち、凝縮槽５からの温度の高い凝縮用冷却水は、散水槽６３から散水され、冷却ファン６４や通風ルーバ６５からの冷風によって冷却されるようになっており、冷却された後の凝縮用冷却水が凝縮槽５に送られて再び水蒸気の凝縮に利用されるようになっている。このように、冷却塔６は、いわゆる開放型として構成されているが、いわゆる密閉型として構成することもできる。
【００４４】
続いて、以上のような構成を備える冷却装置１の制御方法について説明する。
【００４５】
（１）
冷却対象２からの戻り水（冷却対象２から冷却対象流出路２２へ流出される冷却水）の一部（架設流路２３へ分岐した分の冷却水が差し引かれたもの）と、接続流路４３を介して冷却水タンク４１から供給される冷却水とが接続部４２において混合されて散水ノズル３３２の設定散水量の冷却水が調製され、当該設定散水量の冷却水が散水ノズル３３２によって蒸発槽３１内に散水される。蒸発槽３１内は、水が占める液相部分と水蒸気が占める気相部分とに分かれている。蒸発槽３１に設けられた水位レベルセンサ３１１での測定値が所定値になるようにポンプ３４１の回転数を制御することによって、液相部分の水位が一定に維持されるようになっている。
【００４６】
（２）
ターボ圧縮機３２は、一定の回転数で回転駆動され、蒸発槽３１内の水蒸気を吸引して圧縮し、蒸発槽３１内の冷却水の一部を蒸発させて蒸発潜熱によって残りの冷却水を冷却する。ここで、最も効率的な圧縮比が維持されるように、蒸発槽３１に設けられた温度センサ３１２と差圧センサ３１３との測定値に基づいて、凝縮槽５の凝縮用冷却水の流量が制御弁６２によって調節され、ターボ圧縮機３２の入口と出口との圧力差が調節されるようになっている。
【００４７】
例えば、蒸発槽３１内の温度（温度センサ３１２によって測定）が22℃，蒸気圧が2.645kPaの場合、ターボ圧縮機３２の回転数が30000RPMの時に圧縮効率80%を達成するためには、ターボ圧縮機３２の圧縮比が2.10，排気量が3.61m3/Secである必要がある。このとき、凝縮槽５内が温度34.5℃の水の飽和水蒸気圧に相当する圧力5.555kPaになるように、制御弁６２によって凝縮用冷却水の流量を調節すると、冷却能力163.2kWでの運転が可能となる。
【００４８】
一方、蒸発槽３１内の温度が18℃，蒸気圧2.065kPaまで下がった場合には、蒸発槽３１内の水蒸気の密度が低くなるため、ターボ圧縮機３２の駆動回転数を一定として水蒸気の体積排気量を一定に保っていたとしても、水蒸気の重量排気量が変化し、ターボ圧縮機３２による冷却能力（水蒸気の重量排気量に略比例）は128.1kWhまで自動的に低下する。このように、ターボ圧縮機３２を一定の回転数で回転駆動していても、蒸発槽３１内の温度に応じて冷却能力が自動的に変化する。本実施形態では、このような冷却能力の自動調節機能を利用して、ターボ圧縮機３２を一定の回転数で駆動したままで、蒸発槽３１内の冷却水の冷却を適切に行うことができる。
【００４９】
（３）
蒸発槽３１内で冷却された冷却水はポンプ３４１によって冷却水タンク４１へ送られる。そして、冷却水タンク４１に少なくとも一時的に貯蔵された冷却水は、三方弁２４によって架設流路２３を流れる冷却対象２からの戻り水と混合された後、ポンプ２１１によって冷却対象２へ送られ、当該冷却対象２の冷却に用いられる。
【００５０】
（４）
ポンプ２１１によって冷却対象２に送る冷却水の温度は温度センサ２１２によって測定されている。そして、温度センサ２１２での測定温度が所定の設定値になるように三方弁２４の開度調節を行って、当該三方弁２４における冷却対象２からの戻り水（架設流路２３からの冷却水）と冷却水タンク４１からの冷却水の混合比率を調節することにより、常に予め設定した温度の冷却水が冷却対象２に送られるようになっている。例えば、冷却対象２の必要冷却能力が低下すると、冷却対象２からの戻り水の温度が低下するところ、三方弁２４の開度を、冷却水タンク４１からの冷却水（低温）の混合比率を下げる方向に調節することにより、冷却対象２に流入する冷却水を一定温度に維持することができる。
【００５１】
例えば、冷却対象２に流入する冷却水の設定温度が28℃，設定流量が1280L/Min、蒸発槽３１内への設定散水量が600L/Minであるとして、冷却対象２の必要冷却能力が163.2kWhの場合、蒸発槽３１内の温度は22℃，蒸気圧は2.645kPaとなり、冷却水タンク４１内の冷却水温度は22.2℃となる。ここで、29.8℃の冷却対象２からの戻り水（架設流路２３を流れる冷却水）974L/Minと、22.2℃の冷却水タンク４１からの冷却水306L/Minとを、三方弁２４によって混合することにより、設定温度28℃、設定流量1280L/Minの冷却水を調製して、ポンプ２１１によって冷却対象２に送ることができる。また、29.8℃の冷却対象２からの戻り水の残り（架設流路２３に分岐した974L/Minが差し引かれた残り）の306L/Minと、22.2℃の冷却水タンク４１からの冷却水294L/Minとが、接続流路４３を介して接続部４２において混合されて、温度26.1℃，流量600L/Minの冷却水が調整されて、設定散水量600L/Minの冷却水が蒸発槽３１内に散水されるようになっている。
【００５２】
一方、冷却対象２の必要冷却能力が128.1kWhまで低下した場合、冷却対象２からの戻り水の温度が低下するので、当該戻り水が流入する蒸発槽３１内の温度，蒸気圧が18℃，2.065kPaまで自動的に低下し、冷却水タンクの冷却水温度は18.2℃となる。ここで、29.4℃の冷却対象２からの戻り水（架設流路２３を流れる冷却水）1117L/Minと、18.2℃の冷却水タンク４１からの冷却水163L/Minとを、三方弁２４によって混合することにより、設定温度28℃、設定流量1280L/Minの冷却水を調製して、ポンプ２１１によって冷却対象２に送ることができる。また、29.4℃の冷却対象２からの戻り水の残り（架設流路２３に分岐した1117L/Minが差し引かれた残り）の163L/Minと、22.2℃の冷却水タンク４１からの冷却水437L/Minとが、接続流路４３を介して接続部４２において混合されて、温度21.2℃，流量600L/Minの冷却水が調整されて、設定散水量600L/Minの冷却水が蒸発槽３１内に散水されるようになっている。
【００５３】
以上のように、冷却対象２の必要冷却能力が変化したとしても、三方弁２４による流量制御の下、冷却対象２に流入する冷却水は一定温度（以上の例では、28℃）に維持されるようになっている。なお、以上の例からも分かるように、蒸発槽３１内の冷却水温度は、冷却対象２に流入する冷却水の設定温度よりも低くなっている。
【００５４】
（５）
一方、ターボ圧縮機３２によって吸引された水蒸気は、凝縮槽５内に送られて、水に凝縮される。
（６）
凝縮槽５の凝縮水出口５２に設けられた真空ポンプ５２１が、非凝縮性ガスを排出するとともに、凝縮槽５内の真空を維持する。
（７）
凝縮槽５での水蒸気の凝縮に利用される凝縮用冷却水は、ポンプ６１によって冷却塔６との間を循環し、蒸発槽３１の温度センサ３１２の測定温度から計算されるターボ圧縮機３２の入口と出口との圧力差が差圧センサ３１３の値と一致するように、制御弁６２によって流量が制御されるようになっている。
【００５５】
（８）
凝縮槽５では、冷却塔６からの凝縮用冷却水によって、ターボ圧縮機３２から送られてきた水蒸気が冷却され、水に凝縮される。
（９）
凝縮槽５において凝縮された水は、凝縮槽５と蒸発槽３１とを接続する流路５５を介して、水柱ヘッドによって自動的に蒸発槽３１に送られ、蒸発槽３１内の冷却水と混合されて、ポンプ３４１によって冷却水タンク４１に送られる。
【００５６】
（１０）
以上は、外気湿球温度が高く、蒸発槽３１に流入する冷却水の温度よりも、凝縮槽５に流入する凝縮用冷却水の温度の方が高い場合の冷却装置１の制御方法であり、ターボ圧縮機３２が一定回転数で駆動されて蒸発槽３１内の冷却水の冷却が行われる。
【００５７】
これに対して、外気湿球温度が低く、蒸発槽３１に流入する冷却水の温度よりも、凝縮槽５に流入する凝縮用冷却水の温度の方が低い場合（本実施形態では、近似的に、温度センサ２１２によって測定される冷却水の温度よりも、凝縮槽５の凝縮用冷却水入口５３に設けられている温度センサ５３１によって測定される冷却塔６からの凝縮用冷却水の温度の方が低い場合としている）には、ターボ圧縮機３２内での圧力損失を防止するため、蒸発槽３１と凝縮槽５とを直結する直結流路３１４に設けられているバタフライ弁３１５が開かれ、ターボ圧縮機３２の回転駆動が停止される。そして、温度センサ４１１によって測定される冷却水タンク４１内の冷却水温度が所定の温度となるように、循環する凝縮用冷却水の流量が制御弁６２によって制御される。
【００５８】
すなわち、ターボ圧縮機３２の回転駆動が停止され、バタフライ弁３１５が開かれると、蒸発槽３１および凝縮槽５は、ほとんど圧力差がない状態で互いに連通されることとなる。この状態において、制御弁６２によって凝縮槽５への凝縮用冷却水の流量を制御することにより、凝縮槽５の圧力を調節し、間接的に、蒸発槽３１を所望圧力に調節することができる。そして、当該所望圧力の下で蒸発槽３１内の冷却水の蒸発を行わせることができるので、蒸発潜熱によって残りの冷却水を冷却することができ、結果的に、冷却水タンク４１内の冷却水を所望温度に調節することができる。
【００５９】
例えば、冷却対象２に流入する冷却水の設定温度（温度センサ２１２によって測定）が28℃，設定流量が1280L/Min、冷却水タンク４１の冷却水の設定温度（温度センサ４１１によって測定）が25℃、凝縮用冷却水の温度（温度センサ５３１によって測定）が19℃（冷却対象２に流入する冷却水の設定温度28℃よりも低温）、蒸発槽３１内への設定散水量が600L/Minの場合、冷却対象２の必要冷却能力を200kWとして、ターボ圧縮機３２を停止させたまま冷却装置１を運転するためには、凝縮槽５内を流通する凝縮用冷却水の流量を制御弁６２によって923L/Minに調節すればよい。このとき、蒸発槽３１の圧力が3.157kPa、凝縮槽５の圧力が3.086kPaとなった状態でバランスがとれる。なお、これらの値は、図５に示されるように凝縮槽５をプレート式熱交換器として構成した場合の値であり、凝縮槽５を、冷却塔６からの凝縮用冷却水がターボ圧縮機３２からの水蒸気に向かって直接散水される開放型熱交換器として構成した場合には、更に凝縮用冷却水の流量を低減することができる。
【００６０】
以上のような冷却装置１において、ターボ圧縮機３２を回転駆動（回転数一定）するか、停止するかは、温度センサ５３１での測定温度（すなわち、冷却塔６からの凝縮用冷却水の温度）に基づいて制御される。
【００６１】
すなわち、外気湿球温度が低く、予め決めた設定温度よりも凝縮用冷却水の温度（温度センサ５３１によって測定）が低ければ、ターボ圧縮機３２が回転駆動されずにバタフライ弁３１５が開かれ、蒸発槽３１内において前述したように冷却水が冷却される。この場合、冷却対象２の必要冷却能力が変化しても、冷却水タンク４１の冷却水温度（温度センサ４１１によって測定）が所定の温度となるように、制御弁６２によって凝縮用冷却水の流量が調節される。
【００６２】
ここで、冷却水タンク４１内の冷却水についての設定温度を、冷却対象２に流入する冷却水の設定温度と同一の温度としてもよい。この場合、三方弁２４によって架設流路２３からの冷却水の流量が略０に調節され、冷却水タンク４１内の冷却水が、ほとんどそのまま冷却対象２に送られる。ここで、冷却対象２に流入する冷却水の設定温度（＝冷却水タンク４１内の冷却水の設定温度）よりも凝縮用冷却水の温度が低いときには、ターボ圧縮機３２を停止し、凝縮用冷却水の流量を制御弁６２によって調節して、蒸発槽３１内の圧力（≒凝縮槽５内の圧力）を、冷却対象２に流入する冷却水の設定温度の飽和蒸気圧にまで下げ、冷却対象２に流入する冷却水を設定温度まで効率的に冷却することができる。
【００６３】
また、外気湿球温度が高く、予め決めた設定温度よりも凝縮用冷却水の温度が高ければ、バタフライ弁３１５が閉じられてターボ圧縮機３２が回転駆動（回転数一定）され、蒸発槽３１内において前述したように冷却水が冷却される。この場合、冷却対象２の必要冷却能力が変化しても、前述したように、当該変化に合わせてターボ圧縮機３２による冷却能力が自動的に変化するので、ターボ圧縮機３２の駆動回転数を一定としたままでも適切に冷却を行うことができる。
【００６４】
蒸発槽３１内の温度が低下し、凝縮用冷却水の温度に見合ったターボ圧縮機３２の圧縮比が十分に実現されなくなった場合は、開閉バルブ３３１を閉じて蒸発槽３１への散水を停止して当該蒸発槽３１における冷却水の冷却を休止し、冷却水タンク４１に貯蔵された冷却水によって冷却対象２の冷却を行う（冷却水は、冷却対象２と冷却水タンク４１との間で循環する）。そして、冷却水タンク４１の冷却水温度（温度センサ４１１によって測定）が、冷却対象２へ流入する冷却水の設定温度近くまで上昇した時点で、開閉バルブ３３１を開いて蒸発槽３１への散水を再開して当該蒸発槽３１における冷却水の冷却を再開する。
【００６５】
以上のような実施形態によれば、ターボ圧縮機３２の回転駆動時に冷却条件が変化したとしても、ターボ圧縮機３２の駆動回転数および蒸発槽３１への散水量を変化させることなく、ターボ圧縮機３２による冷却能力が自動的に調節されるので、蒸発槽３１内の冷却水の冷却を適切に行うことができる。
【００６６】
以上のような実施形態では、ターボ圧縮機３２の回転駆動時において、図１の冷却装置１のように冷却水タンク４１に貯蔵された冷却水が直接蒸発槽３１に流入するのではなく、冷却対象２において温められた冷却対象流出路２２からの冷却水と接続部４２において混合された上で、蒸発槽３１に散水されるようになっている。このため、図１の冷却装置１と比較して高い温度の冷却水を蒸発槽３１に流入することができ、蒸発槽３１内の水蒸気の密度を高くすることができるので、ターボ圧縮機３２による冷却能力を高くすることができる。また、図５の冷却装置１と図１の冷却装置１とで同程度の冷却能力を実現したい場合には、図５の構成を採用した方が、ターボ圧縮機３２を小型化することができる等の利点がある。
【００６７】
以上のような実施形態によれば、三方弁２４による架設流路２３の流量制御の下、冷却対象流入路２１を流れる冷却水に対して混合する架設流路２３からの冷却水の量を調節することによって、冷却対象２に流入する冷却水を所望温度に調節することができる。
【００６８】
以上のような実施形態によれば、蒸発槽３１に流入する冷却水の温度よりも、凝縮槽５に流入する凝縮用冷却水の温度の方が低い場合には、温度の低い凝縮用冷却水に基づいて、蒸発槽３１内の冷却水の冷却を行うことができ、この間、ターボ圧縮機３２の回転駆動を停止することができるので、消費電力を節約することができる。
【００６９】
以上のような実施形態によれば、ターボ圧縮機３２の駆動／停止の状態に関わらず、冷却水の冷却が蒸発槽３１内において行われるようになっており、冷却水の冷却箇所をまとめることができるので、複雑な配管を設ける必要がなく、冷却装置１の製造コストを低減することができる。
【００７０】
以上のような実施形態によれば、蒸発槽３１においてターボ圧縮機３２によって冷却された温度の低い冷却水を貯蔵する冷却水タンク４１が設けられているので、例えば、開閉バルブ３３１によって蒸発槽３１への冷却水の流入量を０にしてターボ圧縮機３２による冷却水の冷却を実質的に休止させた場合でも、冷却水タンク４１に貯蔵されている温度の低い冷却水によって、当該冷却水の温度が上昇するまでの間、冷却対象２の冷却を引き続き行うことができる。以上のように、冷却対象２の必要冷却能力が大きく変動したとしても、凝縮用冷却水の温度が所定の設定値以下であれば、十分に対応することができる。
【００７１】
以上説明した図５の実施形態は、前述したように、本発明の制御方法を実施するための冷却装置の模式図である図２，図４を具体化したものである。
なお、当業者であれば、同じく本発明の制御方法を実施するための冷却装置の模式図である図１，図３を、図５のような実施形態に具体化することができると考えられるので、この実施形態の詳細については説明および図示を省略する。
【００７２】
本発明は、以上で説明した実施形態によって限定されるものではなく、この実施形態を、本発明の目的を達成できる範囲内において変形したものであれば、本発明の技術的範囲に含まれる。
【００７３】
前記実施形態では、凝縮槽５を密閉型とし、水蒸気入口５１から凝縮水出口５２に至る水蒸気／凝縮水流路と、凝縮用冷却水入口５３から凝縮用冷却水出口５４に至る凝縮用冷却水流路とを別々の流路として構成していたが、凝縮槽５を開放型とし、水蒸気／凝縮水流路と凝縮用冷却水流路とが合流するように構成して、水蒸気／凝縮水流路を流れる水蒸気／凝縮水と、凝縮用冷却水流路を流れる凝縮用冷却水とが凝縮槽５内で互いに混ざるようにしてもよい。
【００７４】
前記実施形態では、蒸発槽３１と凝縮槽５とが別々の槽として構成されていたが、１つの槽内に蒸発槽として機能する部分と凝縮槽として機能する部分とを有する蒸発・凝縮槽として一体的に構成されていてもよい。
【００７５】
前記実施形態では、凝縮槽５における水蒸気の凝縮に利用される凝縮用冷却水を、冷却塔６において冷却された水としていたが、海水や工場排水などであってもよい。
【００７６】
前記実施形態は、図２，図４の冷却装置１を具体化したものであったが、図２，図４の冷却装置１において、冷却水タンク４１と接続部４２とを接続する接続流路４３の代わりに、蒸発槽流出路３４と蒸発槽流入路３３とを接続する接続流路を設けてもよい。
【図面の簡単な説明】
【００７７】
【図１】本発明の冷却装置を示す模式図である。
【図２】本発明の冷却装置を示す模式図である。
【図３】本発明の冷却装置を示す模式図である。
【図４】本発明の冷却装置を示す模式図である。
【図５】本発明の実施形態に係る冷却装置の構成を示す図である。
【符号の説明】
【００７８】
１…冷却装置
２…冷却対象
５…凝縮槽
６…冷却塔
２１…冷却対象流入路
２２…冷却対象流出路
２３…架設流路
２４…三方弁（流量制御手段）
３１…蒸発槽
３２…ターボ圧縮機（水蒸気圧縮手段）
３３…蒸発槽流入路
３４…蒸発槽流出路
４１…冷却水タンク
４２…接続部
４３…接続流路
５１…水蒸気入口
５２…凝縮水出口
５３…凝縮用冷却水入口
５４…凝縮用冷却水出口
５６…凝縮用冷却水流入路
５７…凝縮用冷却水流出路
６２…制御弁
３１４…直結流路
３１５…バタフライ弁
３３１…開閉バルブ
３３２…散水ノズル
【図１】
2007170698.tif 000003
【図２】
2007170698.tif 000004
【図３】
2007170698.tif 000005
【図４】
2007170698.tif 000006
【図５】
2007170698.tif 000007